(57)【特許請求の範囲】
【請求項１】
複数の電極を含み且つ駆動装置を有する複数の基板の間に配置され、各々異なる色を有し且つ各々異なる閾値電圧を有すると共に第１の粒子群、第２の粒子群、及び第３の粒子群からなる３種類の異なる粒子群を含む表示媒体を備える表示装置をリセットする方法であって、
大きさにおいて前記第１の粒子群の第１の閾値電圧以上であるが前記第２の粒子群又は前記第３の粒子群の移動開始電圧よりは小さい第１のリセット電圧を印加する第１のステップと、
前記第１のステップの後に、大きさにおいて前記第２の粒子群の第２の閾値電圧以上であるが前記第３の粒子群の移動開始電圧よりは小さい第２のリセット電圧を印加する第２のステップと、
前記第２のステップの後に、大きさにおいて前記第３の粒子群の第３の閾値電圧以上である第３のリセット電圧を印加する第３のステップと、
を備え、
前記第１の閾値電圧の大きさは、前記第２の閾値電圧の大きさより小さく、
前記第２の閾値電圧の大きさは、前記第３の閾値電圧の大きさより小さい、
方法。
【請求項２】
前記第３のステップの後に、大きさにおいて前記第２の粒子群の前記第２の閾値電圧以上であるが前記第３の粒子群の前記移動開始電圧よりは小さい第４のリセット電圧を印加する第４のステップと、
前記第４のステップの後に、大きさにおいて前記第１の粒子群の前記第１の閾値電圧以上であるが前記第２の粒子群又は前記第３の粒子群の前記移動開始電圧よりは小さい第５のリセット電圧を印加する第５のステップと、
を更に備える請求項１に記載の方法。
【請求項３】
前記第１の粒子群の色は黄色であり、
前記第２の粒子群の色はシアンであり、
前記第３の粒子群の色はマゼンタである、
請求項１又は請求項２に記載の方法。
【発明の詳細な説明】
【技術分野】
【０００１】
本発明は、表示媒体の駆動装置、駆動プログラム、及び表示装置に関する。
【背景技術】
【０００２】
特許文献１には、一対の基板間に電気泳動粒子を含む電気泳動素子を狭持し、少なくとも第１色と第２色を表示可能な画素からなる表示部を含む電気泳動表示装置の駆動方法であって、前記表示部の所与の領域の内部で前記電気泳動素子に電圧を印加することにより所与の視覚表現の書き換えを行う、部分書き換え工程と、前記部分書き換え工程が所与の回数繰り返された後に、前記部分書き換え工程で印加された電圧の非対称性を解消する、非対称性解消工程と、を含み、前記部分書き換え工程は、前記所与の視覚表現を形成する画素である視覚表現形成画素を前記第１色で表示する、部分書き込み工程と、前記視覚表現形成画素を前記第２色で表示する、部分消去工程と、前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、残像消去工程と、を含み、前記非対称性解消工程は、前記表示部の全ての領域で前記電気泳動素子に電圧を印加する全面駆動を行い、前記所与の領域を前記第１色で表示する、第１全面書き込み工程と、前記第１全面書き込み工程の後に、前記部分書き換え工程で消去された前記残像消去領域を前記第１色で表示する処理を前記所与の回数繰り返す、残像消去対称化工程と、前記残像消去対称化工程の後に、前記全面駆動を行い、前記所与の領域を前記第２色で表示する、第２全面書き込み工程と、を含み、前記第２全面書き込み工程の後に、再び前記部分書き換え工程を行う、電気泳動表示装置の駆動方法が開示されている。
【０００３】
特許文献２には、間隙を隔て対向して配置された、少なくとも一方が透光性を有する一対の基板と、前記一対の基板の一方の基板の他方の基板に対向する部位に配置された第１の電極と、前記他方の基板の前記一方の基板に対向する部位に配置された複数の第２の電極と、前記第１の電極と前記第２の電極との間に電界が発生するように電圧を印加する電圧印加手段と、前記第１の電極と前記第２の電極との間に発生する電界の向きに応じた方向に移動する着色された第１の粒子群、及び前記電界に応じて移動しない着色された第２の粒子群が分散され、かつ前記一対の基板間に封入された透光性を有する分散液体と、前記第１の電極と前記複数の第２の電極との間に表示画像に応じた電界を発生するように前記電圧印加手段を制御する第１の制御、及び予め定められたタイミングで前記第１の粒子群が画像を表示する方向とは異なる方向に移動するように前記電圧印加手段を制御する第２の制御を行う制御手段と、を備えた画像表示装置が開示されている。
【先行技術文献】
【特許文献】
【０００４】
【特許文献１】特開２０１１−１８６１４６号公報
【特許文献２】特開２０１０−１８１５４８号公報
【発明の概要】
【発明が解決しようとする課題】
【０００５】
本発明は、リセット状態で表示した画像により粒子の分布が画素ごとに不均一になるのを抑制することができる表示媒体の駆動装置、駆動プログラム、及び表示装置を提供することを目的とする。
【課題を解決するための手段】
【０００６】
請求項１記載の発明の表示媒体の駆動装置は、一対の基板と、前記一対の基板の基板間に形成された電界に応じて前記基板間を移動するように前記基板間に封入された色及び前記基板から剥離させるための電界を発生させる閾値電圧が異なる複数種類の粒子群と、を有する表示媒体に対して、前記複数種類の粒子群毎に前記一対の基板のうち一方の基板側へ移動させるための電界を発生させるリセット電圧を前記基板間に印加する印加手段を備える。
【０００７】
請求項２記載の発明は、前記印加手段は、表示中の画像に応じて前記複数種類の粒子群毎に前記一方の基板側へ移動するように、前記リセット電圧を前記基板間に印加する。
【０００８】
請求項３記載の発明は、前記印加手段は、前記表示中の画像を表示した際の前記複数種類の粒子群の表示順序と逆の順序で前記複数種類の粒子群毎に前記一方の基板側へ移動するように、前記リセット電圧を前記基板間に印加する。
【０００９】
請求項４記載の発明は、前記印加手段は、前記複数種類の粒子群毎に前記表示中の画像を反転した反転画像を順次表示した後、全ての前記複数種類の粒子群が前記一方の基板側へ移動するように前記リセット電圧を印加する。
【００１０】
請求項５記載の発明は、前記印加手段は、前記閾値電圧の絶対値が小さい順に、前記複数種類の粒子群毎に前記リセット電圧を印加する。
【００１１】
請求項６記載の発明は、前記印加手段は、前記閾値電圧の絶対値が大きい順に、前記複数種類の粒子群毎に前記リセット電圧を印加する。
【００１２】
請求項７記載の発明は、前記印加手段は、前記複数種類の粒子群のうち何れか一種類の粒子群の前記リセット電圧を印加した後、当該リセット電圧によって表示された画像に応じて、前記何れか一種類の粒子群とは異なる粒子群の前記リセット電圧を印加する。
【００１３】
請求項８記載の発明は、前記印加手段は、前記リセット電圧を印加した後、全ての前記複数種類の粒子群が前記基板間を少なくとも一往復するための電圧を印加する。
【００１４】
請求項９記載の発明は、前記印加手段は、前記一方の基板に前記リセット電圧を印加する期間の少なくとも一部で、他方の基板に前記リセット電圧と逆極性の電圧を印加する。
【００１５】
請求項１０記載の発明は、前記表示媒体は、前記基板間に封入され、前記複数種類の粒子群の色と異なる分散媒を備える。
【００１６】
請求項１１記載の発明の表示媒体の駆動装置は、コンピュータを、請求項１〜１０の何れか１項に記載の表示媒体の駆動装置を構成する印加手段として機能させる。
【００１７】
請求項１２記載の発明の表示装置は、一対の基板と、前記一対の基板の基板間に形成された電界に応じて前記基板間を移動するように前記基板間に封入された色及び前記基板から剥離させるための電界を発生させる閾値電圧が異なる複数種類の粒子群と、を有する表示媒体と、請求項１〜１０の何れか１項に記載の表示媒体の駆動装置と、を備える。
【発明の効果】
【００１８】
請求項１、１１、１２の発明によれば、全ての複数種類の粒子群を一度に一方の基板側へ移動させるための電界を発生させるリセット電圧を基板間に印加する場合と比較して、リセット状態で表示した画像により粒子の分布が画素ごとに不均一になるのを抑制することができる、という効果を有する。
【００１９】
請求項２の発明によれば、表示中の画像に関係なく複数種類の粒子群毎に一方の基板側へ移動するようにリセット電圧を印加する場合と比較して、リセット状態で表示した画像により粒子の分布が画素ごとに不均一になるのを抑制することができる、という効果を有する。
【００２０】
請求項３の発明によれば、表示中の画像を表示した際の複数種類の粒子群の色の表示順序に関係なく複数種類の粒子群毎に一方の基板側へ移動するようにリセット電圧を印加する場合と比較して、リセット状態で表示した画像により粒子の分布が画素ごとに不均一になるのを抑制することができる、という効果を有する。
【００２１】
請求項４の発明によれば、表示中の画像に関係なく複数種類の粒子群毎に一方の基板側へ移動するようにリセット電圧を印加する場合と比較して、リセット状態で表示した画像により粒子の分布が画素ごとに不均一になるのを抑制することができる、という効果を有する。
【００２２】
請求項５の発明によれば、閾値電圧に関係なく複数種類の粒子群毎に一方の基板側へ移動するようにリセット電圧を印加する場合と比較して、リセット状態で表示した画像により粒子の分布が画素ごとに不均一になるのを抑制することができる、という効果を有する。
【００２３】
請求項６の発明によれば、閾値電圧に関係なく複数種類の粒子群毎に一方の基板側へ移動するようにリセット電圧を印加する場合と比較して、粒子が基板に固着するのを抑制することができる、という効果を有する。
【００２４】
請求項７の発明によれば、直前に表示された画像に関係なくリセット電圧を印加する場合と比較して、リセットに要する時間を短縮することができる、という効果を有する。
【００２５】
請求項８の発明によれば、リセット電圧を印加した後に全ての複数種類の粒子群が基板間を往復しない場合と比較して、リセット状態で表示した画像により粒子の分布が画素ごとに不均一になるのを抑制することができる、という効果を有する。
【００２６】
請求項９の発明によれば、他方の基板にリセット電圧と逆極性の電圧を印加しない場合と比較して、粒子の移動時間を短縮することができる、という効果を有する。
【００２７】
請求項１０の発明によれば、基板間が空間の場合と比較して、粒子の泳動性を高めることができる、という効果を有する。
【図面の簡単な説明】
【００２８】
【図１】（Ａ）は表示装置の概略構成図、（Ｂ）は制御部をコンピュータで構成した場合のブロック図である。
【図２】第１実施形態に係る各泳動粒子の電圧印加特性を示す図である。
【図３】制御部で実行される処理のフローチャートである。
【図４】第１実施形態に係る電圧印加に応じた泳動粒子の挙動を示す概略図である。
【図５】第１実施形態に係る印加電圧の波形図である。
【図６】第１実施形態に係る印加電圧の波形図である。
【図７】第２実施形態に係る電圧印加に応じた泳動粒子の挙動を示す概略図である。
【図８】第２実施形態に係る印加電圧の波形図である。
【図９】第２実施形態に係る印加電圧の波形図である。
【図１０】第３実施形態に係る電圧印加に応じた泳動粒子の挙動を示す概略図である。
【図１１】第３実施形態に係る印加電圧の波形図である。
【図１２】第４実施形態に係る電圧印加に応じた泳動粒子の挙動を示す概略図である。
【図１３】第４実施形態に係る印加電圧の波形図である。
【図１４】第５実施形態に係る電圧印加に応じた泳動粒子の挙動を示す概略図である。
【図１５】第５実施形態に係る印加電圧の波形図である。
【図１６】第６実施形態に係る各泳動粒子の電圧印加特性を示す図である。
【図１７】第６実施形態に係る電圧印加に応じた泳動粒子の挙動を示す概略図である。
【図１８】第６実施形態に係る印加電圧の波形図である。
【図１９】第６実施形態に係る電圧印加に応じた泳動粒子の挙動を示す概略図である。
【図２０】第６実施形態に係る印加電圧の波形図である。
【図２１】第７実施形態に係る各泳動粒子の電圧印加特性を示す図である。
【図２２】第７実施形態に係る電圧印加に応じた泳動粒子の挙動を示す概略図である。
【図２３】第７実施形態に係る電圧印加に応じた泳動粒子の挙動を示す概略図である。
【図２４】第７実施形態に係る印加電圧の波形図である。
【図２５】第８実施形態に係る電圧印加に応じた泳動粒子の挙動を示す概略図である。
【図２６】第９実施形態に係る電圧印加に応じた泳動粒子の挙動を示す概略図である。
【図２７】第１０実施形態に係る電圧印加に応じた泳動粒子の挙動を示す概略図である。
【図２８】第１１実施形態に係る電圧印加に応じた泳動粒子の挙動を示す概略図である。
【図２９】第１１実施形態に係る電圧印加に応じた泳動粒子の挙動を示す概略図である。
【図３０】第１２実施形態に係る電圧印加に応じた泳動粒子の挙動を示す概略図である。
【図３１】第２実施形態に係る制御部で実行される処理のフローチャートである。
【発明を実施するための形態】
【００２９】
（第１実施形態）
【００３０】
以下、第１実施形態について図面を参照しつつ説明する。なお、説明を簡易化するために、適宜１つのセルに注目した図を用いて本実施形態を説明する。
【００３１】
また、赤色の粒子を赤粒子Ｒ、赤と補色の関係にあるシアン色の粒子をシアン粒子Ｃ、白色の粒子を白粒子Ｗと記し、各粒子とその粒子群は同じ記号（符号）によって示す。
【００３２】
図１（Ａ）は、本実施形態に係る表示装置を概略的に示している。この表示装置１００は、表示媒体１０と、表示媒体１０を駆動する駆動装置２０と、を備えている。駆動装置２０は、表示媒体１０に電圧を印加する電圧印加部３０と、表示媒体１０に表示させる画像の画像情報に応じて電圧印加部３０を制御する制御部４０と、を含んで構成されている。
【００３３】
表示媒体１０は、画像表示面とされる、透光性を有する表示基板５０と、非表示面とされる背面基板５２と、が間隙を持って対向して配置されている。表示基板５０には、透光性を有する表示側電極５４が形成され、背面基板５２には、背面側電極５６が形成されている。なお、表示側電極５４及び背面側電極５６は、表示基板５０及び背面基板５２に設けず、外部電極としてもよい。
【００３４】
また、表示媒体１０には、表示基板５０と背面基板５２との基板間を定められた間隔に保持すると共に、当該基板間を複数のセルに区画する間隙部材５８が設けられている。
【００３５】
上記セルとは、表示側電極５４が設けられた表示基板５０と、背面側電極５６が設けられた背面基板５２と、間隙部材５８と、によって囲まれた領域を示している。なお、それぞれの電極表面には、保護膜や絶縁材料などからなる層を設けてもよい。セル中には、例えば絶縁性液体で構成された分散媒６０と、分散媒６０中に分散された第１粒子群６２、第２粒子群６４、及び白色粒子群６６が封入されている。
【００３６】
第１粒子群６２と第２粒子群６４は、色及び基板から剥離させるための電界を発生させる閾値電圧が異なり、表示側電極５４と背面側電極５６との間に予め定めた閾値電界以上の電界を発生させる閾値電圧を印加することにより、第１粒子群６２及び第２粒子群６４がそれぞれ単独で泳動する特性を有している。一方、白色粒子群６６は、第１粒子群６２、第２粒子群６４よりも帯電量が少なく、第１粒子群６２、第２粒子群６４が何れか一方の電極側まで移動する電界を発生させる電圧が電極間に印加されても、何れの電極側まで移動しない浮遊粒子群である。
【００３７】
なお、白色粒子群６６を用いるのではなく、分散媒６０に着色剤を混合することで、白色を表示させてもよい。
【００３８】
本実施形態では、第１粒子群６２は、シアンの色彩を有する正帯電の電気泳動粒子（シアン粒子Ｃ）であり、第２粒子群６４は、シアンの補色である赤の色彩を有する正帯電の電気泳動粒子（赤粒子Ｒ）である場合について説明するが、これに限定されない。各粒子の色や粒径は適宜設定すればよい。また、以下の説明で印加する電圧の電圧値も一例であって、これに限定されず、各粒子の帯電極性、粒径、応答性、電極間の距離等に応じて適宜設定すればよい。
【００３９】
駆動装置２０（電圧印加部３０及び制御部４０）は、表示媒体１０の表示側電極５４、背面側電極５６間に表示させる色に応じた電圧を印加することにより、第１粒子群６２、６４を泳動させ、それぞれの帯電極性に応じて表示基板５０、背面基板５２の何れか一方に引き付ける。
【００４０】
電圧印加部３０は、表示側電極５４及び背面側電極５６にそれぞれ電気的に接続されている。また、電圧印加部３０は、制御部４０に信号授受されるように接続されている。
【００４１】
制御部４０は、図１（Ｂ）に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０Ａ、ＲＯＭ（Ｒｅａｄ  Ｏｎｌｙ  Ｍｅｍｏｒｙ）４０Ｂ、ＲＡＭ（Ｒａｎｄｏｍ  Ａｃｃｅｓｓ  Ｍｅｍｏｒｙ）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部３０が接続されている。この場合、後述する各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００４２】
電圧印加部３０は、表示側電極５４及び背面側電極５６に電圧を印加するための電圧印加装置であり、制御部４０の制御に応じた電圧を表示側電極５４及び背面側電極５６に印加する。
【００４３】
本実施形態では、一例として表示側電極５４を表示基板５０の全面に形成された共通電極とし、背面側電極５６を複数の孤立電極で構成し、アクティブマトリクス駆動に対応した電極構成とする。従って、本実施形態では、共通電極としての表示側電極５４を接地し、背面側電極５６を構成する複数の孤立電極に画像に応じた電圧を印加する場合について説明する。
【００４４】
図２には、本実施形態に係る表示装置１００において、正に帯電されたシアン粒子Ｃ、正に帯電された赤粒子Ｒを表示基板５０側、背面基板５２側に移動させるために印加する電圧に対する表示濃度の特性（電圧−表示濃度特性）を示した。図２では、シアン粒子Ｃの電圧−表示濃度特性を特性５０Ｃ、赤粒子Ｒの電圧−表示濃度特性を特性５０Ｒで表わしている。また、図２は、表示側電極５４をグランド（０Ｖ）として背面側電極５６に印加された電圧と、各粒子群による表示濃度との関係を示したものである。
【００４５】
実際には、各粒子群を移動させるのに作用する外力Ｆは電界Ｅ×帯電量ｑ（Ｆ＝ｑＥ）であり、電界強度により特性が変化するが、説明を簡単にするため、表示側電極５４と背面側電極５６の距離ｄを一定であるとして、電圧Ｖで説明する。表示側電極５４と背面側電極５６の距離ｄが異なる表示媒体を用いる場合は、電界ＥはＥ＝Ｖ／ｄで決まるため、相対的にｄが大きくなった分電圧Ｖを大きくすればよく、電圧−表示濃度特性は電圧絶対値の大きさが変化しても、各粒子の特性は相似な関係となる。
【００４６】
図２に示すように、背面基板５２側のシアン粒子Ｃが表示基板５０側へ移動開始する電界を発生させるための移動開始電圧は＋Ｖ２ａであり、表示基板５０側のシアン粒子Ｃが背面基板５２側へ移動開始する電界を発生させるための移動開始電圧は−Ｖ２ａである。従って、＋Ｖ２ａ以上の電圧を印加することで背面基板５２側のシアン粒子Ｃが表示基板５０側へ移動し、−Ｖ２ａ以下の電圧を印加することで表示基板５０側のシアン粒子Ｃが背面基板５２側へ移動する。また、背面基板５２側のシアン粒子Ｃが全て表示基板５０側へ移動する電界を発生させるための閾値電圧は＋Ｖ２であり、表示基板５０側のシアン粒子Ｃが全て背面基板５２側へ移動する電界を発生させるための閾値電圧は−Ｖ２である。
【００４７】
そして、背面基板５２側から表示基板５０側へ移動させるシアン粒子Ｃの粒子量は、例えば印加する電圧のパルス幅（電圧印加時間）を同一にした場合には、印加する電圧の電圧値を変えることで制御される（電圧値変調）。例えば、背面基板５２側から表示基板５０側へ移動させるシアン粒子Ｃの粒子量を制御する場合、印加する電圧のパルス幅は同一で、電圧値を＋Ｖ２ａ以上の任意の電圧値とすることにより、その電圧値に応じた粒子量のシアン粒子Ｃを表示基板５０側へ移動させられる。これにより、シアン粒子Ｃの階調表示が制御される。表示基板５０側のシアン粒子Ｃを背面基板５２側へ移動させる場合の粒子量についても同様である。
【００４８】
また、背面基板５２側の赤粒子Ｒが表示基板５０側へ移動開始する電界を発生させるための移動開始電圧（閾値電圧）は＋Ｖ１ａであり、表示基板５０側の赤粒子Ｒが背面基板５２側へ移動開始する移動開始電圧は−Ｖ１ａである。従って、＋Ｖ１ａ以上の電圧を印加することで背面基板５２側の赤粒子Ｒが表示基板５０側へ移動し、−Ｖ１ａ以下の電圧を印加することで表示基板５０側の赤粒子Ｒが背面基板５２側へ移動する。また、背面基板５２側の赤粒子Ｒが全て表示基板５０側へ移動する電界を発生させるための閾値電圧は＋Ｖ１であり、表示基板５０側の赤粒子Ｒが全て背面基板５２側へ移動する電界を発生させるための閾値電圧は−Ｖ１である。なお、図２に示すように、｜Ｖ１｜＜｜Ｖ２｜であり、赤粒子Ｒの閾値電圧の電圧値の絶対値よりもシアン粒子Ｃの閾値電圧の電圧値の絶対値の方が大きい。
【００４９】
そして、背面基板５２側から表示基板５０側へ移動させる赤粒子Ｒの粒子量、表示基板５０側から背面基板５２側へ移動させる赤粒子Ｒの粒子量は、前述したシアン粒子Ｃの場合と同様に、例えば印加する電圧のパルス幅を同一にした場合には、印加する電圧の電圧値によって制御される。
【００５０】
なお、印加する電圧の電圧値を同一にして、パルス幅を変えることで移動する粒子の粒子量を制御し、階調表示を制御するようにしてもよい（パルス幅変調）。例えば、背面基板５２側から表示基板５０側へ移動させるシアン粒子Ｃの粒子量を制御する場合において、印加する電圧の電圧値を＋Ｖ２ａ以上の予め定めた電圧値とした場合、そのパルス幅が長くなるに従って表示基板５０側へ移動するシアン粒子Ｃの粒子量が多くなる。従って、電圧値を固定にして、パルス幅を階調に応じた長さのパルス幅とすることにより、シアン粒子Ｃの階調表示が制御される。本実施形態では、一例として、電圧値変調により、移動する粒子の粒子量を制御する場合について説明する。
【００５１】
次に、本実施形態の作用として、制御部４０のＣＰＵ４０Ａで実行される制御について図３に示すフローチャートを参照して説明する。
【００５２】
まず、ステップＳ１０では、表示媒体１０に表示させるべき画像の画像情報を例えばＩ／Ｏ４０Ｅを介して図示しない外部装置から取得する。
【００５３】
ステップＳ１２では、リセット電圧を印加するように電圧印加部３０に指示する。ここで、リセット電圧とは、同一色の粒子群は全て表示基板５０又は背面基板５２側へ移動させて表示をリセットするための電圧であり、本実施形態では、シアン粒子Ｃ及び赤粒子Ｒ毎にリセット電圧を印加する。なお、本実施形態では、リセット電圧は、全ての色の粒子群が背面基板５２側へ移動させる電圧である場合について説明するが、全ての色の粒子群を表示基板５０側へ移動させるための電圧であってもよい。また、同一色の粒子群を表示基板５０又は背面基板５２側へ移動させるものであれば、例えば全てのシアン粒子Ｃが表示基板５０側に移動し、全ての赤粒子Ｒが背面基板５２側へ移動する電圧であってもよい。なお、ステップＳ１０とステップＳ１２の順番は入れ替えても良い。
【００５４】
図４には、色が異なる粒子群毎にリセット電圧を印加した場合の粒子の移動の様子を示した。なお、以下では、説明を簡単にするために、同図（Ａ）に示すように、１つのセルに背面側電極５６として３つの電極１〜３が設けられている場合について説明する。同図（Ａ）は、前回の画像が表示された状態を示しており、左側の電極１の表示基板５０側には白粒子Ｗによる白色が表示され、中央の電極２の表示基板５０側には赤粒子Ｒによる赤色が表示され、右側の電極３の表示基板５０側には、シアン粒子Ｃによるシアン色が表示された状態である。そして、表示側電極５４としての共通電極は接地されており、電極１〜３には電圧は印加されていない状態である。
【００５５】
この状態から、図４（Ｂ）及び図５に示すように、電極１〜３に赤粒子Ｒの閾値電圧−Ｖ１以下で且つシアン粒子Ｃの移動開始電圧−Ｖ２ａよりも高い電圧−Ｖ１ｒを印加する。すなわち、全ての赤粒子Ｒのみが移動するよう、｜Ｖ１｜≦｜Ｖ１ｒ｜＜｜Ｖ２ａ｜を満たす電圧−Ｖ１ｒを印加する。これにより、図４（Ｂ）に示すように、電極２上の表示基板５０側の赤粒子Ｒは全て背面基板５２側へ移動し、電極３上の表示基板５０側のシアン粒子Ｃは移動せず表示基板５０側に残ったままとなる。これにより、まず赤色の表示がリセットされる。
【００５６】
次に、図４（Ｃ）及び図５に示すように、電極１〜３にシアン粒子Ｃの閾値電圧−Ｖ２以下の電圧−Ｖｒを印加する。すなわち、全てのシアン粒子Ｃが背面基板５２側へ移動するよう、｜Ｖ２｜＜｜Ｖｒ｜を満たす電圧−Ｖｒを印加する。これにより、図４（Ｃ）に示すように、電極３上の表示基板５０側のシアン粒子Ｃは全て背面基板５２側へ移動する。これにより、シアン色の表示がリセットされる。なお、図５では、−Ｖ１ｒを印加した直後に−Ｖｒを印加することにより赤色の表示をリセットした直後にシアン色のリセットを行っているが、赤色のリセットとシアン色のリセットとの間にインターバルを設けても良い。すなわち、赤色のリセットを実行した後、シアン色のリセットを行うまでに電極１〜３を０Ｖにする期間を設けても良い。これは後述する他の実施形態においても同様である。
【００５７】
図３のステップＳ１４では、取得した画像情報に基づいて、背面側電極５６に印加すべき表示色電圧を決定し、電圧印加部３０に指示する。電圧印加部３０は、制御部４０から指示された表示色電圧を背面側電極５６に印加する。
【００５８】
この表示色電圧は、表示媒体１０に表示すべき色の階調に応じた電圧である。例えば赤単色の階調表示を行う場合には、表示色電圧は、赤粒子Ｒの移動開始電圧である＋Ｖ１ａよりも高く、且つ、シアン粒子Ｃの移動開始電圧＋Ｖ２ａよりも低い電圧である。そして、その電圧値は、表示すべき赤色の階調（濃度）に応じた電圧値である。また、シアン単色の階調表示を行う場合には、表示色電圧は、シアン粒子Ｃの移動開始電圧である＋Ｖ２ａよりも高い電圧である。そして、その電圧値は、表示すべきシアン色の階調（濃度）に応じた電圧値である。ただし、赤粒子Ｒも表示基板５０側に移動するので、シアンの表示色電圧を印加した後、全ての赤粒子Ｒを背面基板５２側へ移動させる電圧を印加する。なお、電圧値は同一で、パルス幅によって階調制御してもよく、電圧値とパルス幅を組み合わせて階調制御しても良い。
【００５９】
また、赤色とシアン色の混色の階調表示を行う場合は、例えば上記のようにシアンの階調表示を行った後、赤色の階調表示を行う。
【００６０】
このように、本実施形態では、前回表示された画像をリセットする場合、色が異なる粒子群毎に背面基板５２側へ移動させて色毎に表示をリセットするので、全ての色の粒子群を一度に背面基板５２側へ移動させて表示をリセットする場合と比較して、リセット状態で表示した画像により粒子の分布が画素ごとに不均一になるのが抑制される。
【００６１】
なお、図６に示すように、シアン色のリセットを行う際に、共通電極（表示側電極５４）に、電極１〜３に印加する電圧−Ｖｒと逆極性の電圧、例えば＋Ｖｒの電圧を印加するようにしてもよい。これにより、共通電極を接地したままの場合と比較して、基板間に発生する電界が大きくなり、リセットに要する時間が短縮される。また、別の方法として、移動開始電圧の小さい粒子（本実施形態では赤粒子Ｒ）のリセット電圧を印加して、先に粒子Ｒを移動させ始め、赤粒子Ｒが反対側の基板へ到達する前に、次に大きい移動開始電圧の粒子（本実施形態ではシアン粒子Ｃ）を移動させる電圧を印加し始めるようにしてもよい。これにより、赤粒子Ｒを移動させる時間における後半の電圧を大きくして、赤粒子Ｒのリセットに要する時間を短くすると共に、シアン粒子Ｃが移動する時間と兼ねることができ、総合的にリセットに要する時間が短縮される。これらの方法は、以降に説明する他の実施例でも、同じ極性で移動開始電圧が小さい粒子からリセットする場合に有効である。
【００６２】
（第２実施形態）
【００６３】
次に、第２実施形態について説明する。なお、第１実施形態と同一部分には同一符号を付し、その詳細な説明は省略する。
【００６４】
本実施形態では、表示中の画像に応じて色が異なる粒子群毎に表示をリセットする場合について説明する。なお、装置構成及び各粒子の閾値特性は第１実施形態と同一であるので、説明は省略する。
【００６５】
次に、制御部４０のＣＰＵ４０Ａで実行される制御について説明する。図３１に示すように、ステップＳ１０では、今回表示媒体１０に表示させるべき画像の画像情報を例えばＩ／Ｏ４０Ｅを介して取得する。
【００６６】
ステップＳ１１では、前回の表示サイクルにおける書込ステップＳ１４で書き込まれた画像情報、すなわちリセット直前に表示されている画像の画像情報を取得する。前回の表示サイクルにおける書込ステップＳ１４で書き込まれた画像情報は、例えば、予め図示しない記憶手段や、ルックアップテーブル等に格納しておく。
【００６７】
次に、ステップＳ１２のリセット電圧の印加について説明する。
【００６８】
図７には、表示中の画像に応じて色が異なる粒子群毎にリセット電圧を印加した場合の粒子の移動の様子を示した。同図（Ａ）は、前回の画像が表示された状態を示しており、図４（Ａ）と同一である。
【００６９】
この状態から、図７（Ｂ）及び図８に示すように、電極２のみに赤粒子Ｒの閾値電圧−Ｖ１以下で且つシアン粒子Ｃの移動開始電圧−Ｖ２ａよりも高い電圧−Ｖ１ｒを印加する。すなわち、電極２上の表示基板５０側の赤粒子Ｒが移動するよう、｜Ｖ１｜≦｜Ｖ１ｒ｜＜｜Ｖ２ａ｜を満たす電圧−Ｖ１ｒを電極２のみに印加する。なお、電極１、３には電圧を印加せず０Ｖのままとする。これにより、図７（Ｂ）に示すように、電極２上の表示基板５０側の赤粒子Ｒは全て背面基板５２側へ移動し、電極１、３に対応した画素の粒子は移動しない。これにより、まず赤色の表示がリセットされる。
【００７０】
次に、図７（Ｃ）及び図８に示すように、電極３のみにシアン粒子Ｃの閾値電圧−Ｖ２以下の電圧−Ｖｒを印加する。すなわち、電極３上の表示基板５０側のシアン粒子Ｃが移動するよう、｜Ｖ２｜＜｜Ｖｒ｜を満たす電圧−Ｖｒを電極３のみに印加する。なお、電極１、２には電圧を印加せず０Ｖとする。これにより、図７（Ｃ）に示すように、電極３上のシアン粒子Ｃは全て背面基板５２側へ移動する。これにより、シアン色の表示がリセットされる。
【００７１】
このように、本実施形態では、前回表示された画像をリセットする場合、表示中の画像に応じて色が異なる粒子群毎に背面基板５２側へ移動させて色毎に表示をリセットする。すなわち、色が異なる粒子群毎に、その色が表示されている画素に対応した電極のみに電圧を印加し、その色が表示されていない画素に対応した電極には電圧を印加しない。これにより、表示中の画像に関係なくリセットする場合と比較して、リセット状態で表示した画像により粒子の分布が画素ごとに不均一になるのが抑制される。
【００７２】
なお、図９に示すように、シアン色のリセットを行う際に、共通電極（表示側電極５４）に、電極３に印加する電圧−Ｖｒと逆極性の電圧、例えば＋Ｖｒの電圧を印加するようにしてもよい。これにより、共通電極を接地したままの場合と比較して、基板間に発生する電界が大きくなり、リセットに要する時間が短縮される。
【００７３】
その後、ステップＳ１４において、表示する画像情報に応じて表示を行い、ステップＳ１６において、この画像情報を図示しない記憶手段、あるいはルックアップテーブル等に記憶させる。なお、ステップＳ１０、Ｓ１１、Ｓ１２の順番は、ステップＳ１１の後にステップＳ１２が実行される関係性が保たれる範囲で入れ替えてもかまわない。例えば、ステップＳ１０、Ｓ１１、Ｓ１２の処理順序は、Ｓ１０→Ｓ１１→Ｓ１２でもよいし、Ｓ１１→Ｓ１２→Ｓ１０でもよいし、Ｓ１１→Ｓ１０→Ｓ１２でもよい。
【００７４】
（第３実施形態）
【００７５】
次に、第３実施形態について説明する。なお、第１実施形態と同一部分には同一符号を付し、その詳細な説明は省略する。
【００７６】
本実施形態では、表示中の画像を表示した際の各色の表示順序と逆の順序で各色の粒子群を背面基板５２側へ移動させることにより色毎に表示をリセットする場合について説明する。なお、装置構成及び各粒子の閾値特性は第１実施形態と同一であるので、説明は省略する。
【００７７】
また、制御部４０のＣＰＵ４０Ａで実行される制御については、図３のステップＳ１０、Ｓ１４の処理は第１実施形態と同一であるので説明は省略し、ステップＳ１２のリセット電圧の印加について説明する。
【００７８】
図１０には、表示中の画像を表示した際の各色の表示順序と逆の順序で各色の粒子群が背面基板５２側へ移動するようにリセット電圧を印加した場合の粒子の移動の様子を示した。同図（Ａ）は、前回の画像が表示された状態を示しており、図４（Ａ）と同一である。
【００７９】
図１０（Ａ）の状態にするには、第１実施形態で説明したように、例えばシアンの階調表示を行った後、赤色の階調表示を行う。
【００８０】
本実施形態では、表示とは逆の順序で表示をリセットする。すなわち、赤色の表示をリセットした後にシアンの表示をリセットする。
【００８１】
従って、図１０（Ａ）の状態から、図１０（Ｂ）及び図１１に示すように、電極３のみに赤粒子Ｒの閾値電圧＋Ｖ１以上で且つシアン粒子Ｃの移動開始電圧＋Ｖ２ａよりも低い電圧＋Ｖ１ｒを印加する。すなわち、電極３上の背面基板５０側の赤粒子Ｒのみが表示基板５０側へ移動するよう、｜Ｖ１｜≦｜Ｖ１ｒ｜＜｜Ｖ２ａ｜を満たす電圧＋Ｖ１ｒを電極３のみに印加する。なお、電極１、２には電圧を印加せず０Ｖのままとする。これにより、図１０（Ｂ）に示すように、電極３上の背面基板５０側の赤粒子Ｒは全て表示基板５０側へ移動する。
【００８２】
次に、図１０（Ｃ）及び図１１に示すように、電極２、３に赤粒子Ｒの閾値電圧−Ｖ１以下の電圧−Ｖｒを印加する。すなわち、電極２、３上の表示基板５０側の赤粒子Ｒが背面基板５２側へ移動するよう、｜Ｖ１｜≦｜Ｖ１ｒ｜＜｜Ｖ２ａ｜を満たす電圧−Ｖ１ｒを電極２、３に印加する。なお、電極１には電圧を印加せず０Ｖとする。これにより、図１０（Ｃ）に示すように、電極２、３上の表示基板５０側の赤粒子Ｒは全て背面基板５２側へ移動する。これにより、赤色の表示がリセットされる。
【００８３】
次に、図１０（Ｄ）及び図１１に示すように、電極３のみにシアン粒子Ｃの閾値電圧−Ｖ２以下の電圧−Ｖｒを印加する。すなわち、電極３上の表示基板５０側のシアン粒子Ｃが移動するよう、｜Ｖ２｜＜｜Ｖｒ｜を満たす電圧−Ｖｒを電極３のみに印加する。なお、電極１、２には電圧を印加せず０Ｖとする。これにより、図１０（Ｄ）に示すように、電極３上の表示基板５０側のシアン粒子Ｃは全て背面基板５２側へ移動する。これにより、シアン色の表示がリセットされる。
【００８４】
このように、本実施形態では、表示中の画像を表示した際の各色の表示順序と逆の順序で各色の粒子群が背面基板５２側へ移動するようにリセット電圧を印加する。これにより、表示順序と関係なくリセットする場合と比較して、リセット状態で表示した画像により粒子の分布が画素ごとに不均一になるのが抑制される。
【００８５】
（第４実施形態）
【００８６】
次に、第４実施形態について説明する。なお、第１実施形態と同一部分には同一符号を付し、その詳細な説明は省略する。
【００８７】
本実施形態では、色が異なる粒子群の色毎に表示中の画像を反転した反転画像を順次表示した後、全ての粒子群が背面基板５２側へ移動するようにリセット電圧を印加する場合について説明する。なお、装置構成及び各粒子の閾値特性は第１実施形態と同一であるので、説明は省略する。
【００８８】
また、制御部４０のＣＰＵ４０Ａで実行される制御については、図３のステップＳ１０、Ｓ１４の処理は第１実施形態と同一であるので説明は省略し、ステップＳ１２のリセット電圧の印加について説明する。
【００８９】
図１２には、色が異なる粒子群の色毎に表示中の画像を反転した反転画像を順次表示した後、全ての粒子群が背面基板５２側へ移動するようにリセット電圧を印加した場合の粒子の移動の様子を示した。同図（Ａ）は、前回の画像が表示された状態を示しており、図４（Ａ）と同一である。
【００９０】
図１２（Ａ）に示すように、表示中の画像は、電極２に対応した画素には赤粒子Ｒにより赤色が表示され、電極３に対応した画素にはシアン粒子Ｃによりシアン色が表示されている。従って、表示中の赤色の画像の反転画像を書き込むには、電極１、３上の表示基板５０側に赤粒子Ｒを移動させ、表示中のシアン色の画像の反転画像を書き込むには、電極１、２上の表示基板５０側にシアン粒子Ｃを移動させる必要がある。
【００９１】
このため、図１２（Ａ）の状態から、図１２（Ｂ）及び図１３に示すように、電極１、３に赤粒子Ｒの閾値電圧＋Ｖ１以上で且つシアン粒子Ｃの移動開始電圧＋Ｖ２ａよりも低い電圧＋Ｖ１ｒを印加する。すなわち、電極１、３上の全ての赤粒子Ｒが表示基板５０側へ移動するよう、｜Ｖ１｜≦｜Ｖ１ｒ｜＜｜Ｖ２ａ｜を満たす電圧＋Ｖ１ｒを電極１，３に印加する。なお、電極２には電圧を印加せず０Ｖのままとする。すなわち、表示中の赤色の画像を反転した反転画像を書き込む。これにより、図１２（Ｂ）に示すように、電極１，３上の赤粒子Ｒは全て表示基板５０側へ移動する。
【００９２】
次に、図１２（Ｃ）及び図１３に示すように、電極１、２にシアン粒子Ｃの閾値電圧−Ｖ２以上の電圧＋Ｖｒを印加する。すなわち、電極１、２上の全てのシアン粒子Ｃが移動するよう、｜Ｖ２｜＜｜Ｖｒ｜を満たす電圧＋Ｖｒを電極１、２に印加する。なお、電極３には電圧を印加せず０Ｖとする。すなわち、表示中のシアン色の画像を反転した反転画像を書き込む。これにより、図１２（Ｃ）に示すように、電極１、２上のシアン粒子Ｃは全て表示基板５０側へ移動する。
【００９３】
次に、図１２（Ｄ）及び図１３に示すように、電極１〜３にシアン粒子Ｃの閾値電圧−Ｖ２以下の電圧−Ｖｒを印加する。すなわち、表示基板５０側の全ての赤粒子Ｒ及びシアン粒子Ｃが移動するよう、｜Ｖ２｜＜｜Ｖｒ｜を満たす電圧−Ｖｒを電極１、２に印加する。これにより、図１２（Ｄ）に示すように、表示基板５０側の赤粒子Ｒ及びシアン粒子Ｃは全て背面基板５２側へ移動する。
【００９４】
このように、本実施形態では、色が異なる粒子群の色毎に表示中の画像を反転した反転画像を順次表示した後、全ての粒子群が背面基板５２側へ移動するようにリセット電圧を印加する。これにより、表示中の画像に関係なくリセットする場合と比較して、リセット状態で表示した画像により粒子の分布が画素ごとに不均一になるのが抑制される。
【００９５】
（第５実施形態）
【００９６】
次に、第５実施形態について説明する。なお、第１実施形態と同一部分には同一符号を付し、その詳細な説明は省略する。
【００９７】
本実施形態では、リセット電圧を印加して表示をリセットした後、全ての粒子群が背面基板５２側から表示基板５０側へ移動して背面基板５２側へ移動させるための電圧、すなわちリセット後に全ての粒子群を背面基板５２側から一往復させる電圧を印加する場合について説明する。なお、装置構成及び各粒子の閾値特性は第１実施形態と同一であるので、説明は省略する。
【００９８】
また、制御部４０のＣＰＵ４０Ａで実行される制御については、図３のステップＳ１０、Ｓ１４の処理は第１実施形態と同一であるので説明は省略し、ステップＳ１２のリセット電圧の印加について説明する。
【００９９】
図１４には、表示中の画像をリセットした後に、全ての粒子群を背面基板５２側から一往復させる場合の粒子の移動の様子を示した。なお、同図（Ａ）〜（Ｃ）は第２実施形態と同一であるので、説明は省略する。
【０１００】
第２実施形態と同様に、図１４（Ａ）〜（Ｃ）に示すようにリセット電圧を印加して表示をリセットした後、図１４（Ｄ）及び図１５に示すように、電極１〜３にシアン粒子Ｃの閾値電圧＋Ｖ２以上の電圧＋Ｖｒを印加する。すなわち、電極１〜３上の全てのシアン粒子Ｃ及び赤粒子Ｒが表示基板５０側へ移動するよう、｜Ｖ２｜≦｜Ｖｒ｜を満たす電圧＋Ｖｒを電極１〜３に印加する。これにより、図１４（Ｄ）に示すように、電極１〜３上のシアン粒子Ｃ及び赤粒子Ｒは全て表示基板５０側へ移動する。
【０１０１】
次に、図１４（Ｅ）及び図１５に示すように、電極１〜３にシアン粒子Ｃの閾値電圧−Ｖ２以下の電圧−Ｖｒを印加する。すなわち、表示基板５０側の全てのシアン粒子Ｃ及び赤粒子Ｒが背面基板５２側へ移動するよう、｜Ｖ２｜＜｜Ｖｒ｜を満たす電圧−Ｖｒを電極１〜３に印加する。これにより、図１４（Ｅ）に示すように、表示基板５０側のシアン粒子Ｃ及び赤粒子Ｒは全て背面基板５２側へ移動する。
【０１０２】
このように、本実施形態では、表示されている画像をリセットした後に、全ての粒子群を一往復させるので、よりリセット状態で表示した画像により粒子の分布が画素ごとに不均一になるのが抑制される。
【０１０３】
なお、本実施形態では、第４実施形態で説明した方法でリセットした後に全ての粒子群を一往復させる場合について説明したが、リセットの方法はこれに限らず、第１〜第３実施形態及び以下で説明する他の実施形態に係るリセット方法でもよい。また、リセット後、全ての粒子群を二往復以上させてもよい。
【０１０４】
（第６実施形態）
【０１０５】
次に、第６実施形態について説明する。なお、第１実施形態と同一部分には同一符号を付し、その詳細な説明は省略する。
【０１０６】
本実施形態では、表示媒体１０が、イエロー粒子Ｙ、マゼンタ粒子Ｍ、及びシアン粒子Ｃの色が異なり且つ同極性に帯電された３種類の粒子群を備えた構成であり、表示中の画像に応じて色が異なる粒子群毎に表示をリセットする場合について説明する。なお、装置構成は第１実施形態と同一であるので、説明は省略する。
【０１０７】
図１６には、全て正に帯電されたイエロー粒子Ｙ、マゼンタ粒子Ｍ、及びシアン粒子Ｃを表示基板５０側、背面基板５２側に移動させるために必要な印加電圧の特性を示した。図１６では、イエロー粒子Ｙの電圧−表示濃度特性を特性５０Ｙ、マゼンタ粒子の電圧−表示濃度特性を特性５０Ｍ、シアン粒子Ｃの電圧−表示濃度特性を特性５０Ｃで表わしている。また、図１６は、表示側電極５４をグランド（０Ｖ）として背面側電極５６に印加された電圧と、各粒子群による表示濃度との関係を示したものである。
【０１０８】
なお、シアン粒子Ｃの特性５０Ｃは第１実施形態と同様であり、イエロー粒子Ｙの特性５０Ｙは、第１実施形態で説明した赤粒子Ｒの特性と同様であるため、説明は省略し、マゼンタ粒子Ｍの特性５０Ｍについてのみ説明する。
【０１０９】
図１６に示すように、背面基板５２側のマゼンタ粒子Ｍが表示基板５０側へ移動開始する電界を発生させるための移動開始電圧は＋Ｖ３ａであり、表示基板５０側のマゼンタ粒子Ｍが背面基板５２側へ移動開始する電界を発生させるための移動開始電圧は−Ｖ３ａである。従って、＋Ｖ３ａ以上の電圧を印加することで背面基板５２側のマゼンタ粒子Ｍが表示基板５０側へ移動し、−Ｖ３ａ以下の電圧を印加することで表示基板５０側のマゼンタ粒子Ｍが背面基板５２側へ移動する。また、背面基板５２側のマゼンタ粒子Ｍが全て表示基板５０側へ移動する電界を発生させるための閾値電圧は＋Ｖ３であり、表示基板５０側のマゼンタ粒子Ｍが全て背面基板５２側へ移動する電界を発生させるための閾値電圧は−Ｖ３である。
【０１１０】
そして、背面基板５２側から表示基板５０側へ移動させるマゼンタ粒子Ｍの粒子量は、例えば印加する電圧のパルス幅（電圧印加時間）を同一にした場合には、印加する電圧の電圧値を変えることで制御される（電圧値変調）。例えば、背面基板５２側から表示基板５０側へ移動させるマゼンタ粒子Ｍの粒子量を制御する場合、印加する電圧のパルス幅は同一で、電圧値を＋Ｖ３以上の任意の電圧値とすることにより、その電圧値に応じた粒子量のマゼンタ粒子Ｍを表示基板５０側へ移動させられる。これにより、マゼンタ粒子Ｍの階調表示が制御される。表示基板５０側のマゼンタ粒子Ｍを背面基板５２側へ移動させる場合の粒子量についても同様である。
【０１１１】
なお、印加する電圧の電圧値を同一にして、パルス幅を変えることで移動する粒子の粒子量を制御し、階調表示を制御するようにしてもよい（パルス幅変調）。例えば、背面基板５２側から表示基板５０側へ移動させるマゼンタ粒子Ｍの粒子量を制御する場合において、印加する電圧の電圧値を＋Ｖ３ａ以上の予め定めた電圧値とした場合、そのパルス幅が長くなるに従って表示基板５０側へ移動するマゼンタ粒子Ｍの粒子量が多くなる。従って、電圧値を固定にして、パルス幅を階調に応じた長さのパルス幅とすることにより、マゼンタ粒子Ｍの階調表示が制御される。本実施形態では、一例として、電圧値変調により、移動する粒子の粒子量を制御する場合について説明する。
【０１１２】
制御部４０のＣＰＵ４０Ａで実行される制御については、図３のステップＳ１０の処理は第１実施形態と同一であるので説明は省略し、ステップＳ１２、Ｓ１４の処理について説明する。
【０１１３】
ステップＳ１２では、リセット電圧を印加するように電圧印加部３０に指示する。ここで、リセット電圧とは、同一色の粒子を全て背面基板５２側へ移動させて表示をリセットするための電圧であり、本実施形態では、イエロー粒子Ｙ、マゼンタ粒子Ｍ、シアン粒子Ｃ毎にリセット電圧を印加する。
【０１１４】
図１７には、表示中の画像に応じて色が異なる粒子群毎にリセット電圧を印加した場合の粒子の移動の様子を示した。同図（Ａ）は、前回の画像が表示された状態を示しており、左側の電極１の表示基板５０側にはイエロー粒子Ｙによる黄色が表示され、中央の電極２の表示基板５０側にはマゼンタ粒子Ｍによるマゼンタ色が表示され、右側の電極３の表示基板５０側には、シアン粒子Ｃとイエロー粒子Ｙによる混色の緑色が表示された状態である。そして、表示側電極５４としての共通電極は接地されており、電極１〜３には電圧は印加されていない状態である。
【０１１５】
この状態から、図１７（Ｂ）及び図１８に示すように、電極１，３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１、３上の表示基板５０側のイエロー粒子Ｙが背面基板５２側へ移動するよう、｜Ｖ１｜≦｜Ｖ１ｒ｜＜｜Ｖ２ａ｜を満たす電圧−Ｖ１ｒを電極１、３に印加する。なお、電極２には電圧を印加せず０Ｖのままとする。これにより、図１７（Ｂ）に示すように、電極１，３上の表示基板５０側のイエロー粒子Ｙは全て背面基板５２側へ移動する。これにより、まずイエローの表示がリセットされる。
【０１１６】
次に、図１７（Ｃ）及び図１８に示すように、電極３のみにシアン粒子Ｃの閾値電圧−Ｖ２以下の電圧−Ｖ２ｒを印加する。すなわち、電極３上の全てのシアン粒子Ｃが背面基板５２側へ移動するよう、｜Ｖ２｜＜｜Ｖ２ｒ｜を満たす電圧−Ｖ２ｒを電極３のみに印加する。なお、電極１、２には電圧を印加せず０Ｖとする。これにより、図１７（Ｃ）に示すように、電極３上の表示基板５０側のシアン粒子Ｃは全て背面基板５２側へ移動する。これにより、シアン色の表示がリセットされる。
【０１１７】
次に、図１７（Ｄ）及び図１８に示すように、電極２のみにマゼンタ粒子Ｍの閾値電圧−Ｖ３以下の電圧−Ｖｒを印加する。すなわち、電極２上の表示基板５０側の全てのマゼンタ粒子Ｍが背面基板５２側へ移動するよう、｜Ｖ３｜＜｜Ｖｒ｜を満たす電圧−Ｖｒを電極２のみに印加する。なお、電極１、３には電圧を印加せず０Ｖとする。これにより、図１７（Ｄ）に示すように、電極２上の表示基板５０側のマゼンタ粒子Ｍは全て背面基板５２側へ移動する。これにより、マゼンタ色の表示がリセットされる。
【０１１８】
図３のステップＳ１４では、取得した画像情報に基づいて、背面側電極５６に印加すべき表示色電圧を決定し、電圧印加部３０に指示する。電圧印加部３０は、制御部４０から指示された表示色電圧を背面側電極５６に印加する。
【０１１９】
ここでは、一例として図１７（Ｄ）のリセット状態から図１７（Ａ）の画像表示状態にする場合の電圧印加の流れを図１９を参照して説明する。
【０１２０】
図１９（Ａ）に示すように、全ての粒子が背面基板５２側へ移動したリセット状態から、図１９（Ｂ）及び図２０に示すように、電極１〜３にイエロー粒子Ｙの閾値電圧＋Ｖ１以上で且つシアン粒子Ｃの移動開始電圧＋Ｖ２ａよりも低い電圧＋Ｖ１ｒを印加する。すなわち、電極１〜３上の背面基板５２側のイエロー粒子Ｙが表示基板５０側へ移動するよう、｜Ｖ１｜≦｜Ｖ１ｒ｜＜｜Ｖ２ａ｜を満たす電圧＋Ｖ１ｒを電極１〜３に印加する。これにより、図１９（Ｂ）に示すように、電極１〜３のイエロー粒子Ｙは全て表示基板５０側へ移動する。
【０１２１】
次に、図１９（Ｃ）及び図２０に示すように、電極２、３にシアン粒子Ｃの閾値電圧−Ｖ２以上で且つマゼンタ粒子Ｍの移動開始電圧＋Ｖ３ａよりも低い電圧＋Ｖ２ｒを印加する。すなわち、電極２，３上の背面基板５２側のシアン粒子Ｃが表示基板５０側へ移動するよう、｜Ｖ２｜≦｜Ｖ２ｒ｜＜｜Ｖ３ａ｜を満たす電圧＋Ｖ２ｒを電極２、３に印加する。これにより、図１９（Ｃ）に示すように、電極２，３のシアン粒子Ｃは全て表示基板５０側へ移動する。
【０１２２】
次に、図１９（Ｄ）及び図２０に示すように、電極２のみにマゼンタ粒子Ｍの閾値電圧＋Ｖ３以上の電圧＋Ｖｒを印加する。すなわち、電極２上の背面基板５２側の全てのマゼンタ粒子Ｍが表示基板５０側へ移動するよう、｜Ｖ３｜＜｜Ｖｒ｜を満たす電圧＋Ｖｒを電極２のみに印加する。なお、電極１、３には電圧を印加せず０Ｖとする。これにより、図１９（Ｄ）に示すように、電極２上の背面基板５２側のマゼンタ粒子Ｍは全て表示基板５０側へ移動する。
【０１２３】
次に、図１９（Ｅ）及び図２０に示すように、電極２のみにシアン粒子Ｃの閾値電圧−Ｖ２以下で且つマゼンタ粒子Ｍの移動開始電圧−Ｖ３ａよりも高い電圧−Ｖ２ｒを印加する。すなわち、電極２上の表示基板５０側のシアン粒子Ｃ及びイエロー粒子Ｙが背面基板５２側へ移動するよう、｜Ｖ２｜≦｜Ｖ２ｒ｜＜｜Ｖ３ａ｜を満たす電圧−Ｖ２ｒを電極２、３に印加する。これにより、図１９（Ｅ）に示すように、電極２上の表示基板５０側のシアン粒子Ｃ及びイエロー粒子Ｙは全て表示基板５０側へ移動し、マゼンタ粒子Ｍのみが電極２上の表示基板５０側に残る。なお、黒を表示する場合は、イエロー粒子Ｙ、シアン粒子Ｃ、マゼンタ粒子Ｍを全て表示基板５０側へ移動させることで３次色の黒を表示する。
【０１２４】
このように、本実施形態では、表示すべき画像に応じて閾値電圧の小さい粒子から順に表示基板５０側に移動させてリセットするので、閾値電圧に関係なくリセットする場合と比較して、リセット状態で表示した画像により粒子の分布が画素ごとに不均一になるのが抑制される。
【０１２５】
（第７実施形態）
【０１２６】
次に、第７実施形態について説明する。なお、第６実施形態と同一部分には同一符号を付し、その詳細な説明は省略する。
【０１２７】
本実施形態では、シアン粒子Ｃが負に帯電されている点が第６実施形態と異なる。そして、本実施形態では、閾値電圧の小さい順に色が異なる粒子群毎に表示をリセットする場合について説明する。なお、装置構成は第１実施形態と同一であるので、説明は省略する。
【０１２８】
図２１には、正に帯電されたイエロー粒子Ｙ、正に帯電されたマゼンタ粒子Ｍ、及び負に帯電されたシアン粒子Ｃを表示基板５０側、背面基板５２側に移動させるために必要な印加電圧の特性を示した。なお、イエロー粒子Ｙの特性５０Ｙ及びマゼンタ粒子Ｍの特性５０Ｍは第６実施形態と同様であるため説明は省略し、シアン粒子Ｃの特性５０Ｃについてのみ説明する。
【０１２９】
図２１に示すように、背面基板５２側のシアン粒子Ｃが表示基板５０側へ移動開始する電界を発生させるための移動開始電圧は−Ｖ２ａであり、表示基板５０側のマゼンタ粒子Ｍが背面基板５２側へ移動開始する電界を発生させるための移動開始電圧は＋Ｖ２ａである。従って、−Ｖ２ａ以下の電圧を印加することで背面基板５２側のシアン粒子Ｃが表示基板５０側へ移動し、＋Ｖ２ａ以上の電圧を印加することで表示基板５０側のシアン粒子Ｃが背面基板５２側へ移動する。また、背面基板５２側のシアン粒子Ｃが全て表示基板５０側へ移動する電界を発生させるための閾値電圧は−Ｖ２であり、表示基板５０側のシアン粒子Ｃが全て背面基板５２側へ移動する電界を発生させるための閾値電圧は＋Ｖ２である。
【０１３０】
また、制御部４０のＣＰＵ４０Ａで実行される制御については、図３のステップＳ１０の処理は第６実施形態と同一であるので説明は省略し、ステップＳ１２、Ｓ１４の処理について説明する。
【０１３１】
ステップＳ１２では、閾値電圧が小さい順に色が異なる粒子群毎にリセット電圧を印加する。
【０１３２】
図２２には、閾値電圧が小さい順に色が異なる粒子群毎にリセット電圧を印加した場合の粒子の移動の様子を示した。同図（Ａ）は、前回の画像が表示された状態を示しており、図１７（Ａ）と同一である。
【０１３３】
この状態から、図２２（Ｂ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側のイエロー粒子Ｙが背面基板５２側へ移動するよう、｜Ｖ１｜≦｜Ｖ１ｒ｜＜｜Ｖ２ａ｜を満たす電圧−Ｖ１ｒを電極１〜３に印加する。これにより、図２２（Ｂ）に示すように、電極１〜３上の表示基板５０側のイエロー粒子Ｙは全て背面基板５２側へ移動してリセットされる。なお、同図（Ａ）に示すように、電極２上の表示基板５０側にはイエロー粒子Ｙは存在しないので、実際には電極１、３の表示基板５０側のイエロー粒子Ｙのみ背面基板５２側へ移動する。
【０１３４】
次に、図２２（Ｃ）に示すように、電極１〜３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極１〜３上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極１〜３に印加する。これにより、図２２（Ｃ）に示すように、電極１〜３上の表示基板５０側のシアン粒子Ｃは全て表示基板５０側へ移動する。なお、同図（Ｂ）に示すように、電極１、２上の表示基板５０側にはシアン粒子Ｃは存在しないので、実際には電極３の表示基板５０側のシアン粒子Ｃが背面基板５２側へ移動してリセットされる。また、これに伴って、電極１〜３上の背面基板５２側のイエロー粒子Ｙが表示基板５０側へ移動する。
【０１３５】
次に、図２２（Ｄ）に示すように、電極１〜３にマゼンタ粒子Ｍの閾値電圧−Ｖ３以下の電圧−Ｖｒを印加する。すなわち、電極１〜３上の表示基板５０側の全てのマゼンタ粒子Ｍが背面基板５２側へ移動するよう、｜Ｖ３｜＜｜Ｖｒ｜を満たす電圧−Ｖｒを電極１〜３に印加する。これにより、図２２（Ｄ）に示すように、電極１〜３上の表示基板５０側のマゼンタ粒子Ｍは全て背面基板５２側へ移動する。なお、同図（Ｂ）に示すように、電極１、３上の表示基板５０側にはマゼンタ粒子Ｍは存在しないので、実際には電極２上の表示基板５０側のマゼンタ粒子Ｍが背面基板５２側へ移動する。これにより、マゼンタ色の表示がリセットされる。また、これに伴って、電極１〜３上の表示基板５０側のイエロー粒子Ｙが背面基板５２側へ移動するとともに、電極１〜３上の背面基板５２側のシアン粒子Ｃが表示基板５０側へ移動する。
【０１３６】
次に、図２２（Ｅ）に示すように、電極１〜３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極１〜３上の背面基板５２側のシアン粒子Ｃが表示基板５０側へ移動するよう、｜Ｖ２｜≦｜Ｖ２ｒ｜＜｜Ｖ３ａ｜を満たす電圧＋Ｖ２ｒを電極１〜３に印加する。これにより、図２２（Ｅ）に示すように、電極１〜３上の表示基板５０側のシアン粒子Ｃは全て背面基板５２側へ移動して再度リセットされる。これにより、シアン色の表示もリセットされる。なお、これに伴って、電極１〜３上の背面基板５２側のイエロー粒子Ｙが表示基板５０側へ移動する。
【０１３７】
次に、図２２（Ｆ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側のイエロー粒子Ｙが背面基板５２側へ移動するよう、｜Ｖ１｜≦｜Ｖ１ｒ｜＜｜Ｖ２ａ｜を満たす電圧＋Ｖ１ｒを電極１〜３に印加する。これにより、図２２（Ｆ）に示すように、電極１〜３上の表示基板５０側のイエロー粒子Ｙは全て背面基板５２側へ移動して再度リセットされる。これにより、イエロー色の表示もリセットされ、全面白表示となる。
【０１３８】
図３のステップＳ１４では、取得した画像情報に基づいて、背面側電極５６に印加すべき表示色電圧を決定し、電圧印加部３０に指示する。電圧印加部３０は、制御部４０から指示された表示色電圧を背面側電極５６に印加する。
【０１３９】
ここでは、一例として図２２（Ｆ）のリセット状態から図２２（Ａ）の画像表示状態にする場合の電圧印加の流れを図２３を参照して説明する。
【０１４０】
図２３（Ａ）に示すように、全ての粒子が背面基板５２側へ移動したリセット状態から、図２３（Ｂ）及び図２４に示すように、電極２のみにマゼンタ粒子Ｍの閾値電圧＋Ｖ３以上の電圧＋Ｖｒを印加する。すなわち、電極２上の背面基板５２側のマゼンタ粒子Ｍが表示基板５０側へ移動するよう、｜Ｖ３｜≦｜Ｖｒ｜を満たす電圧＋Ｖｒを電極２に印加する。これにより、図２３（Ｂ）に示すように、電極２上の背面基板５２側のマゼンタ粒子Ｍ及びイエロー粒子Ｙは全て表示基板５０側へ移動する。
【０１４１】
次に、図２３（Ｃ）及び図２４に示すように、電極３にシアン粒子Ｃの閾値電圧−Ｖ２以下で且つマゼンタ粒子Ｍの移動開始電圧−Ｖ３ａよりも高い電圧−Ｖ２ｒを印加する。すなわち、電極３上の背面基板５２側のシアン粒子Ｃが表示基板５０側へ移動するよう、｜Ｖ２｜≦｜Ｖ２ｒ｜＜｜Ｖ３ａ｜を満たす電圧−Ｖ２ｒを電極３に印加する。これにより、図２３（Ｃ）に示すように、電極３のシアン粒子Ｃは全て表示基板５０側へ移動する。
【０１４２】
次に、図２３（Ｄ）及び図２４に示すように、電極１，３にイエロー粒子Ｙの閾値電圧＋Ｖ１以上で且つシアン粒子Ｃの移動開始電圧＋Ｖ２ａよりも低い電圧＋Ｖ１ｒを印加する。すなわち、電極１、３上の背面基板５２側のイエロー粒子Ｙが表示基板５０側へ移動するよう、｜Ｖ１｜＜｜Ｖ１ｒ｜を満たす電圧＋Ｖ１ｒを電極１，３に印加する。なお、電極２には電圧を印加せず０Ｖとする。これにより、図２３（Ｄ）に示すように、電極１，３上の背面基板５２側のイエロー粒子Ｙは表示基板５０側へ移動する。
【０１４３】
次に、図２３（Ｅ）及び図２４に示すように、電極２にイエロー粒子Ｙの閾値電圧−Ｖ１以下で且つシアン粒子Ｃの移動開始電圧−Ｖ２ａよりも高い電圧−Ｖ１ｒを印加する。すなわち、電極２上の表示基板５０側のイエロー粒子Ｙが背面基板５２側へ移動するよう、｜Ｖ１｜＜｜Ｖ１ｒ｜を満たす電圧−Ｖ１ｒを電極２に印加する。なお、電極１，３には電圧を印加せず０Ｖとする。これにより、図２３（Ｅ）に示すように、電極２上の表示基板５０側のイエロー粒子Ｙは背面基板５２側へ移動する。以上により、第１電極の表示基板側はイエロー粒子Ｙによるイエロー表示となり、第２電極の表示基板側はマゼンタ粒子Ｍによるマゼンタ表示となり、第３電極の表示基板側は、イエロー粒子Ｙとシアン粒子Ｃの２次色によるグリーン表示となる。なお、黒を表示する場合は、イエロー粒子Ｙ、シアン粒子Ｃ，マゼンタ粒子Ｍを全て表示基板側へ移動させることで３次色の黒を表示する。
【０１４４】
以上のように、本実施形態では、前回表示された画像をリセットする場合、閾値電圧が小さい順に色が異なる粒子群毎にリセット電圧を印加するので、リセット状態で表示した画像により粒子の分布が画素ごとに不均一になるのが抑制される。
【０１４５】
（第８実施形態）
【０１４６】
次に、第８実施形態について説明する。なお、第７実施形態と同一部分には同一符号を付し、その詳細な説明は省略する。
【０１４７】
本実施形態では、閾値電圧が小さい順に表示中の画像に応じて色が異なる粒子群毎に表示をリセットする場合について説明する。なお、装置構成及び各粒子の閾値特性は第７実施形態と同一であるので、説明は省略する。
【０１４８】
また、制御部４０のＣＰＵ４０Ａで実行される制御については、図３のステップＳ１０、Ｓ１４の処理は第７実施形態と同一であるので説明は省略し、ステップＳ１２のリセット電圧の印加について説明する。
【０１４９】
図２５には、閾値電圧が小さい順に表示中の画像に応じて色が異なる粒子群毎にリセット電圧を印加した場合の粒子の移動の様子を示した。同図（Ａ）は、前回の画像が表示された状態を示しており、図２２（Ａ）と同一である。
【０１５０】
この状態から、図２５（Ｂ）に示すように、電極１、３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１、３上の表示基板５０側のイエロー粒子Ｙが背面基板５２側へ移動するよう、｜Ｖ１｜≦｜Ｖ１ｒ｜＜｜Ｖ２ａ｜を満たす電圧−Ｖ１ｒを電極１〜３に印加する。これにより、図２５（Ｂ）に示すように、電極１、３上の表示基板５０側のイエロー粒子Ｙは全て背面基板５２側へ移動する。
【０１５１】
次に、図２５（Ｃ）に示すように、電極３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極２上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極３に印加する。これにより、図２５（Ｃ）に示すように、電極３上の表示基板５０側のシアン粒子Ｃは全て表示基板５０側へ移動し、電極３上の背面基板５２側のイエロー粒子Ｙが表示基板５０側へ移動する。
【０１５２】
次に、図２５（Ｄ）に示すように、電極２にマゼンタ粒子Ｍの閾値電圧−Ｖ３以下の電圧−Ｖｒを印加する。すなわち、電極２上の表示基板５０側の全てのマゼンタ粒子Ｍが背面基板５２側へ移動するよう、｜Ｖ３｜＜｜Ｖｒ｜を満たす電圧−Ｖｒを電極２に印加する。これにより、図２５（Ｄ）に示すように、電極２上の表示基板５０側のマゼンタ粒子Ｍは全て背面基板５２側へ移動し、電極２上の背面基板５２側のシアン粒子Ｃが表示基板５０側へ移動する。従って、マゼンタ色の表示がリセットされる。
【０１５３】
次に、図２５（Ｅ）に示すように、電極１〜３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極１〜３上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極１〜３に印加する。これにより、図２５（Ｅ）に示すように、電極１〜３上のシアン粒子Ｃを全て背面基板５２側へ移動させるが、この実施形態の場合は電極１，３上のシアン粒子は背面基板５２側にあるので、電極２上の表示基板５０側のシアン粒子Ｃのみが背面基板５２側へ移動し、電極１、２上の背面基板５２側のイエロー粒子Ｙは表示基板５０側へ移動する。これにより、シアン色の表示がリセットされる。
【０１５４】
次に、図２５（Ｆ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側のイエロー粒子Ｙが背面基板５２側へ移動するよう、｜Ｖ１｜≦｜Ｖ１ｒ｜＜｜Ｖ２ａ｜を満たす電圧＋Ｖ１ｒを電極１〜３に印加する。これにより、図２５（Ｆ）に示すように、電極１〜３上の表示基板５０側のイエロー粒子Ｙは全て背面基板５２側へ移動する。これにより、イエロー色の表示がリセットされる。
【０１５５】
このように、本実施形態では、前回表示された画像をリセットする場合、閾値電圧が小さい順に色が異なる粒子群毎に背面基板５２側へ移動させて色毎に表示をリセットするので、表示中の画像に関係なくリセットする場合と比較して、リセット状態で表示した画像により粒子の分布が画素ごとに不均一になるのが抑制される。
【０１５６】
（第９実施形態）
【０１５７】
次に、第９実施形態について説明する。なお、第７実施形態と同一部分には同一符号を付し、その詳細な説明は省略する。
【０１５８】
本実施形態では、閾値電圧が大きい順に表示中の画像に応じて色が異なる粒子群毎に表示をリセットする場合について説明する。なお、装置構成及び各粒子の閾値特性は第７実施形態と同一であるので、説明は省略する。
【０１５９】
また、制御部４０のＣＰＵ４０Ａで実行される制御については、図３のステップＳ１０、Ｓ１４の処理は第７実施形態と同一であるので説明は省略し、ステップＳ１２のリセット電圧の印加について説明する。
【０１６０】
図２６には、閾値電圧が大きい順に表示中の画像に応じて色が異なる粒子群毎にリセット電圧を印加した場合の粒子の移動の様子を示した。同図（Ａ）は、前回の画像が表示された状態を示しており、図２２（Ａ）と同一である。
【０１６１】
この状態から、図２６（Ｂ）に示すように、電極２のみにマゼンタ粒子Ｍの閾値電圧−Ｖ３以下の電圧−Ｖｒを印加する。すなわち、電極２上の表示基板５０側のマゼンタ粒子Ｍが背面基板５２側へ移動するよう、｜Ｖ３｜≦｜Ｖｒ｜を満たす電圧−Ｖｒを電極２のみに印加する。これにより、図２６（Ｂ）に示すように、電極２上の表示基板５０側のマゼンタ粒子Ｍは全て背面基板５２側へ移動し、背面基板５２側のシアン粒子Ｃは表示基板５０側へ移動する。これにより、マゼンタ色の表示がリセットされる。
【０１６２】
次に、図２６（Ｃ）に示すように、電極３のみにシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極３上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極３のみに印加する。これにより、図２６（Ｃ）に示すように、電極３上の表示基板５０側のシアン粒子Ｃは全て表示基板５０側へ移動する。
【０１６３】
次に、図２６（Ｄ）に示すように、電極１，３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１，３上の表示基板５０側の全てのイエロー粒子Ｙが背面基板５２側へ移動するよう、｜Ｖ１｜≦｜Ｖ１ｒ｜＜｜Ｖ２ａ｜を満たす電圧−Ｖ１ｒを電極１，３に印加する。これにより、図２６（Ｄ）に示すように、電極１，３上の表示基板５０側のイエロー粒子Ｙは全て背面基板５２側へ移動する。
【０１６４】
次に、図２６（Ｅ）に示すように、電極１〜３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極１〜３上の表示基板５０側のシアン粒子Ｃが背面基板５２側へ移動するよう、｜Ｖ２｜≦｜Ｖ２ｒ｜＜｜Ｖ３ａ｜を満たす電圧−Ｖ２ｒを電極１〜３に印加する。これにより、図２６（Ｅ）に示すように、電極１〜３上の表示基板５０側のシアン粒子Ｃは全て背面基板５２側へ移動し、電極１〜３上の背面基板５２側のイエロー粒子Ｙは表示基板５０側へ移動する。これにより、シアン色の表示がリセットされる。
【０１６５】
次に、図２６（Ｆ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側のイエロー粒子Ｙが背面基板５２側へ移動するよう、｜Ｖ１｜≦｜Ｖ１ｒ｜＜｜Ｖ２ａ｜を満たす電圧＋Ｖ１ｒを電極１〜３に印加する。これにより、図２６（Ｆ）に示すように、電極１〜３上の表示基板５０側のイエロー粒子Ｙは全て背面基板５２側へ移動する。これにより、イエロー色の表示がリセットされる。
【０１６６】
このように、本実施形態では、前回表示された画像をリセットする場合、表示中の画像に応じて閾値電圧が大きい順に色が異なる粒子群毎に背面基板５２側へ移動させて色毎に表示をリセットするので、表示中の画像に関係なくリセットする場合と比較して、リセット状態で表示した画像により粒子の分布が画素ごとに不均一になるのが抑制される。
【０１６７】
（第１０実施形態）
【０１６８】
次に、第１０実施形態について説明する。なお、第７実施形態と同一部分には同一符号を付し、その詳細な説明は省略する。
【０１６９】
本実施形態では、色の異なる粒子群毎にリセット電圧を印加することにより表示された画像に応じて、次のリセット電圧を印加する場合について説明する。なお、装置構成及び各粒子の閾値特性は第７実施形態と同一であるので、説明は省略する。
【０１７０】
また、制御部４０のＣＰＵ４０Ａで実行される制御については、図３のステップＳ１０、Ｓ１４の処理は第７実施形態と同一であるので説明は省略し、ステップＳ１２のリセット電圧の印加について説明する。
【０１７１】
図２７には、色の異なる粒子群毎にリセット電圧を印加することにより表示された画像に応じて、次のリセット電圧を印加する場合の粒子の移動の様子を示した。同図（Ａ）は、前回の画像が表示された状態を示しており、図２２（Ａ）と同一である。
【０１７２】
この状態から、図２７（Ｂ）に示すように、電極２のみにマゼンタ粒子Ｍの閾値電圧−Ｖ３以下の電圧−Ｖｒを印加する。すなわち、電極２上の表示基板５０側のマゼンタ粒子Ｍが背面基板５２側へ移動するよう、｜Ｖ３｜≦｜Ｖｒ｜を満たす電圧−Ｖｒを電極２のみに印加する。これにより、図２７（Ｂ）に示すように、電極２上の表示基板５０側のマゼンタ粒子Ｍは全て背面基板５２側へ移動し、背面基板５２側のシアン粒子Ｃは表示基板５０側へ移動する。これにより、マゼンタ色の表示がリセットされる。
【０１７３】
図２７（Ｂ）に示すように、次にリセットすべきシアン粒子Ｃは、電極２，３上の表示基板５０側に存在している。
【０１７４】
そこで、図２７（Ｃ）に示すように、電極２，３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極２，３上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極３のみに印加する。これにより、図２７（Ｃ）に示すように、電極２，３上の表示基板５０側のシアン粒子Ｃは全て背面基板５２側へ移動する。これにより、シアン色の表示がリセットされる。
【０１７５】
図２７（Ｃ）に示すように、次にリセットすべきイエロー粒子Ｙは、電極１〜３上の表示基板５０側に存在する。
【０１７６】
そこで、図２７（Ｄ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側の全てのイエロー粒子Ｙが背面基板５２側へ移動するよう、｜Ｖ１｜≦｜Ｖ１ｒ｜＜｜Ｖ２ａ｜を満たす電圧−Ｖ１ｒを電極１〜３に印加する。これにより、図２７（Ｄ）に示すように、電極１〜３上の表示基板５０側のイエロー粒子Ｙは全て背面基板５２側へ移動する。これにより、イエロー色の表示がリセットされる。
【０１７７】
このように、本実施形態では、前回表示された画像をリセットする場合、色の異なる粒子群毎にリセット電圧を印加することにより表示された画像に応じて、次のリセット電圧を印加する。すなわち、リセット電圧を印加する毎に、直前に表示された画像に応じて次のリセット電圧を決定するので、リセット状態で表示した画像により粒子の分布が画素ごとに不均一になるのが抑制されると共に、リセット電圧を印加する回数が少なくなる。
【０１７８】
（第１１実施形態）
【０１７９】
次に、第１１実施形態について説明する。なお、第７実施形態と同一部分には同一符号を付し、その詳細な説明は省略する。
【０１８０】
本実施形態では、閾値電圧が小さい順に色が異なる粒子群の色毎に表示中の画像を反転した反転画像を順次表示して、各色の粒子群が表示基板５０側又は背面基板５２側に揃うようにリセット電圧を印加する場合について説明する。なお、装置構成及び各粒子の閾値特性は第７実施形態と同一であるので、説明は省略する。
【０１８１】
また、制御部４０のＣＰＵ４０Ａで実行される制御については、図３のステップＳ１０、Ｓ１４の処理は第７実施形態と同一であるので説明は省略し、ステップＳ１２のリセット電圧の印加について説明する。
【０１８２】
図２８には、閾値電圧が小さい順に色が異なる粒子群の色毎に表示中の画像を反転した反転画像を順次表示して、各色の粒子群が表示基板５０側又は背面基板５２側に揃うようにリセット電圧を印加した場合の粒子の移動の様子を示した。同図（Ａ）は、前回の画像が表示された状態を示しており、図２２（Ａ）と同一である。
【０１８３】
図２９（Ａ）に示すように、表示中の画像は、電極１に対応した画素にはイエロー粒子Ｙにより黄色が表示され、電極２に対応した画素にはマゼンタ粒子Ｍによりマゼンタ色が表示され、電極３に対応した画素にはシアン粒子Ｃ及びイエロー粒子Ｙの混色である緑色が表示されている。
【０１８４】
従って、閾値電圧が最も小さいイエロー粒子Ｙによる黄色の画像の反転画像を書き込むには、電極２上の表示基板５０側にイエロー粒子Ｙを移動させる必要がある。また、閾値電圧が次に小さいシアン粒子Ｃによるシアン色の画像の反転画像を書き込むには、電極１、２上の表示基板５０側にシアン粒子Ｃを移動させる必要がある。また、閾値電圧が最も大きいマゼンタ粒子Ｍによるマゼンタ色の画像の反転画像を書き込むには、電極１、３上の表示基板５０側にマゼンタ粒子Ｍを移動させる必要がある。
【０１８５】
このため、図２８（Ｂ）に示すように、電極２にイエロー粒子Ｙの閾値電圧＋Ｖ１以上で且つシアン粒子Ｃの移動開始電圧＋Ｖ２ａよりも低い電圧＋Ｖ１ｒを印加する。すなわち、電極２上の背面基板５２側のイエロー粒子Ｙが表示基板５０側へ移動するよう、｜Ｖ１｜≦｜Ｖ１ｒ｜＜｜Ｖ２ａ｜を満たす電圧＋Ｖ１ｒを電極２に印加する。これにより、図２８（Ｂ）に示すように、電極２上の背面基板５２側のイエロー粒子Ｙは全て表示基板５０側へ移動する。これにより、黄色の画像の反転画像が書き込まれたこととなる。
【０１８６】
次に、図２８（Ｃ）に示すように、電極１、２にシアン粒子Ｃの閾値電圧−Ｖ２以下で且つマゼンタ粒子Ｍの移動開始電圧−Ｖ３ａよりも高い電圧−Ｖ２ｒを印加する。すなわち、電極１，２上の背面基板５２側のシアン粒子Ｃが表示基板５０側へ移動するよう、｜Ｖ２｜≦｜Ｖ２ｒ｜＜｜Ｖ３ａ｜を満たす電圧−Ｖ２ｒを電極１，２に印加する。これにより、図２８（Ｃ）に示すように、電極１，２上の背面基板５２側のシアン粒子Ｃは全て表示基板５０側へ移動し、電極１，２上の表示基板５０側のイエロー粒子Ｙが背面基板５２側へ移動する。これにより、シアン色の画像の反転画像が書き込まれたこととなる。
【０１８７】
次に、図２８（Ｄ）に示すように、電極１，３にマゼンタ粒子Ｍの閾値電圧＋Ｖ３以上の電圧＋Ｖｒを印加する。すなわち、電極１，３上の背面基板５２側の全てのマゼンタ粒子Ｍが表示基板５０側へ移動するよう、｜Ｖ３｜＜｜Ｖｒ｜を満たす電圧＋Ｖｒを電極１，３に印加する。これにより、図２８（Ｄ）に示すように、電極１，３上の背面基板５２側のマゼンタ粒子Ｍは全て表示基板５０側へ移動し、電極１，３上の表示基板５０側のシアン粒子Ｃが背面基板５２側へ移動する。これにより、マゼンタ色の画像の反転画像が書き込まれたこととなる。
【０１８８】
次に、図２９（Ｅ）に示すように、電極１〜３にマゼンタ粒子Ｍの閾値電圧−Ｖ３以下の電圧−Ｖｒを印加する。すなわち、電極１〜３上の表示基板５０側のマゼンタ粒子Ｍが背面基板５２側へ移動するよう、｜Ｖ３｜≦｜Ｖｒ｜を満たす電圧−Ｖｒを電極１〜３に印加する。これにより、図２９（Ｅ）に示すように、電極１〜３上の表示基板５０側のマゼンタ粒子Ｍは全て背面基板５２側へ移動し、電極１〜３上の背面基板５２側のシアン粒子Ｃは表示基板５０側へ移動する。
【０１８９】
次に、図２９（Ｆ）に示すように、電極１〜３にシアン粒子Ｃの閾値電圧＋Ｖ２以上で且つマゼンタ粒子Ｍの移動開始電圧＋Ｖ３ａよりも低い電圧＋Ｖ２ｒを印加する。すなわち、電極１〜３上の表示基板５０側のシアン粒子Ｃが背面基板５２側へ移動するよう、｜Ｖ２｜≦｜Ｖ２ｒ｜＜｜Ｖ３ａ｜を満たす電圧＋Ｖ２ｒを電極１〜３に印加する。これにより、図２９（Ｆ）に示すように、電極１〜３上の表示基板５０側のシアン粒子Ｃは全て背面基板５２側へ移動する。
【０１９０】
次に、図２９（Ｇ）に示すように、電極１〜３にイエロー粒子Ｙの閾値電圧−Ｖ１以下で且つシアン粒子Ｃの移動開始電圧−Ｖ２ａよりも高い電圧−Ｖ１ｒを印加する。すなわち、電極１〜３上の表示基板５０側のイエロー粒子Ｙが背面基板５２側へ移動するよう、｜Ｖ１｜≦｜Ｖ１ｒ｜＜｜Ｖ２ａ｜を満たす電圧＋Ｖ１ｒを電極１〜３に印加する。これにより、図２９（Ｇ）に示すように、電極１〜３上の表示基板５０側のイエロー粒子Ｙは全て背面基板５２側へ移動する。図２９の最終状態において、イエロー粒子Ｙ、シアン粒子Ｃ、マゼンタ粒子Ｍの全ての粒子は背面基板５２側に位置し、表示面側は白が表示された状態となる。
【０１９１】
なお、図２９（Ｅ）の時点で各色の粒子群が表示基板５０側又は背面基板５２側へ移動しており、この時点でリセットは完了しているため、図２９（Ｆ）、（Ｇ）の電圧印加は省略してもよい。
【０１９２】
このように、本実施形態では、前回表示された画像をリセットする場合、閾値電圧が小さい順に色が異なる粒子群の色毎に表示中の画像を反転した反転画像を順次表示して、各色の粒子群が表示基板５０側又は背面基板５２側に揃うようにリセット電圧を印加するので、リセット状態で表示した画像により粒子の分布が画素ごとに不均一になるのが抑制される。
【０１９３】
（第１２実施形態）
【０１９４】
次に、第１２実施形態について説明する。なお、第７実施形態と同一部分には同一符号を付し、その詳細な説明は省略する。
【０１９５】
本実施形態では、閾値電圧が大きい順に色が異なる粒子群の色毎に表示中の画像を反転した反転画像を順次表示して、各色の粒子群が表示基板５０側又は背面基板５２側に揃うようにリセット電圧を印加する場合について説明する。なお、装置構成及び各粒子の閾値特性は第７実施形態と同一であるので、説明は省略する。
【０１９６】
また、制御部４０のＣＰＵ４０Ａで実行される制御については、図３のステップＳ１０、Ｓ１４の処理は第７実施形態と同一であるので説明は省略し、ステップＳ１２のリセット電圧の印加について説明する。
【０１９７】
図３０には、閾値電圧が小さい順に色が異なる粒子群の色毎に表示中の画像を反転した反転画像を順次表示して、各色の粒子群が表示基板５０側又は背面基板５２側に揃うようにリセット電圧を印加した場合の粒子の移動の様子を示した。同図（Ａ）は、前回の画像が表示された状態を示しており、図２２（Ａ）と同一である。
【０１９８】
図３０（Ａ）に示すように、表示中の画像は、電極１に対応した画素にはイエロー粒子Ｙにより黄色が表示され、電極２に対応した画素にはマゼンタ粒子Ｍによりマゼンタ色が表示され、電極３に対応した画素にはシアン粒子Ｃ及びイエロー粒子Ｙの混色である緑色が表示されている。
【０１９９】
従って、閾値電圧が最も大きいマゼンタ粒子Ｍによるマゼンタ色の画像の反転画像を書き込むには、電極１、３上の表示基板５０側にマゼンタ粒子Ｍを移動させる必要がある。また、次に閾値電圧が大きいシアン粒子Ｃによるシアン色の画像の反転画像を書き込むには、電極１、２上の表示基板５０側にシアン粒子Ｃを移動させる必要がある。また、閾値電圧が最も小さいイエロー粒子Ｙによる黄色の画像の反転画像を書き込むには、電極２上の表示基板５０側にイエロー粒子Ｙを移動させる必要がある。
【０２００】
このため、図３０（Ｂ）に示すように、電極１，３にマゼンタ粒子Ｍの閾値電圧＋Ｖ３以上の電圧＋Ｖｒを印加する。すなわち、電極１，３上の背面基板５２側の全てのマゼンタ粒子Ｍが表示基板５０側へ移動するよう、｜Ｖ３｜＜｜Ｖｒ｜を満たす電圧＋Ｖｒを電極１，３に印加する。これにより、図３０（Ｂ）に示すように、電極１，３上の背面基板５２側のマゼンタ粒子Ｍは全て表示基板５０側へ移動し、電極３上の表示基板５０側のシアン粒子Ｃが背面基板５２側へ移動する。これにより、マゼンタ色の画像の反転画像が書き込まれたこととなる。
【０２０１】
次に、図３０（Ｃ）に示すように、電極１、２にシアン粒子Ｃの閾値電圧−Ｖ２以下で且つマゼンタ粒子Ｍの移動開始電圧−Ｖ３ａよりも高い電圧−Ｖ２ｒを印加する。すなわち、電極１，２上の背面基板５２側のシアン粒子Ｃが表示基板５０側へ移動するよう、｜Ｖ２｜≦｜Ｖ２ｒ｜＜｜Ｖ３ａ｜を満たす電圧−Ｖ２ｒを電極１，２に印加する。これにより、図２８（Ｃ）に示すように、電極１，２上の背面基板５２側のシアン粒子Ｃは全て表示基板５０側へ移動し、電極１上の表示基板５０側のイエロー粒子Ｙが背面基板５２側へ移動する。これにより、シアン色の画像の反転画像が書き込まれたこととなる。
【０２０２】
次に、図３０（Ｄ）に示すように、電極２にイエロー粒子Ｙの閾値電圧＋Ｖ１以上で且つシアン粒子Ｃの移動開始電圧＋Ｖ２ａよりも低い電圧＋Ｖ１ｒを印加する。すなわち、電極２上の背面基板５２側のイエロー粒子Ｙが表示基板５０側へ移動するよう、｜Ｖ１｜≦｜Ｖ１ｒ｜＜｜Ｖ２ａ｜を満たす電圧＋Ｖ１ｒを電極２に印加する。これにより、図３０（Ｄ）に示すように、電極２上の背面基板５２側のイエロー粒子Ｙは全て表示基板５０側へ移動する。これにより、黄色の画像の反転画像が書き込まれたこととなる。
【０２０３】
なお、その後は第１１実施形態で説明した図２９（Ｅ）〜（Ｇ）と同様であるので、説明は省略する。
【０２０４】
このように、本実施形態では、前回表示された画像をリセットする場合、閾値電圧が大きい順に色が異なる粒子群の色毎に表示中の画像を反転した反転画像を順次表示して、各色の粒子群が表示基板５０側又は背面基板５２側に揃うようにリセット電圧を印加するので、リセット状態で表示した画像により粒子の分布が画素ごとに不均一になるのが抑制される。
【０２０５】
以上、本実施形態に係る表示装置について説明したが、本発明は上記実施形態に限定されない。
【０２０６】
例えば、泳動しない粒子群として白色粒子群を用いた場合について説明したが、これに限らず、第１粒子群６２及び第２粒子群６４と異なる色であれば、例えば黒色の粒子群を用いてもよい。
【０２０７】
また、本実施形態では、基板間に分散媒を封入した構成の表示媒体を用いた場合について説明したが、基板間を空間（気体）とした表示媒体を用いてもよい。
【０２０８】
なお、本実施形態で説明した表示装置１００の構成（図１参照）は一例であり、本発明の主旨を逸脱しない範囲内において不要な部分を削除したり、新たな部分を追加したりしてもよいことは言うまでもない。
【符号の説明】
【０２０９】
１０ 表示媒体
２０ 駆動装置
３０ 電圧印加部
４０ 制御部
５０ 表示基板
５２ 背面基板
５４ 表示側電極
５６ 背面側電極
５８ 間隙部材
６０ 分散媒
６２ 第１粒子群
６４ 第２粒子群
６６ 白色粒子群
１００ 表示装置
１００ 表示媒体
Ｃ シアン粒子
Ｒ 赤粒子
Ｍ マゼンタ粒子
Ｙ イエロー粒子
Ｗ 白粒子
【図１】
0006307569.tif 000002
【図２】
0006307569.tif 000003
【図３】
0006307569.tif 000004
【図４】
0006307569.tif 000005
【図５】
0006307569.tif 000006
【図６】
0006307569.tif 000007
【図７】
0006307569.tif 000008
【図８】
0006307569.tif 000009
【図９】
0006307569.tif 000010
【図１０】
0006307569.tif 000011
【図１１】
0006307569.tif 000012
【図１２】
0006307569.tif 000013
【図１３】
0006307569.tif 000014
【図１４】
0006307569.tif 000015
【図１５】
0006307569.tif 000016
【図１６】
0006307569.tif 000017
【図１７】
0006307569.tif 000018
【図１８】
0006307569.tif 000019
【図１９】
0006307569.tif 000020
【図２０】
0006307569.tif 000021
【図２１】
0006307569.tif 000022
【図２２】
0006307569.tif 000023
【図２３】
0006307569.tif 000024
【図２４】
0006307569.tif 000025
【図２５】
0006307569.tif 000026
【図２６】
0006307569.tif 000027
【図２７】
0006307569.tif 000028
【図２８】
0006307569.tif 000029
【図２９】
0006307569.tif 000030
【図３０】
0006307569.tif 000031
【図３１】
0006307569.tif 000032